(57)【要約】【課題】誤挿入を物理的に防止するための過剰な機構部品を増やすことなく、省スペース及び低コストでメモリーカードの誤挿入と破壊を防止する。【解決手段】メモリーカード読取書込装置１にメモリーカード２０を出し入れするカード挿入口４と、カード挿入口４の一部を塞ぎ、メモリーカード２０の誤挿入を防止する誤挿入防止カバー５と、誤挿入防止カバー５をカード挿入口４の開閉方向にスライドさせるカバースライド溝６と、誤挿入防止カバー５をカード挿入口４を閉じる方向に付勢するコイルバネ７とを設ける。メモリーカード２０は、挿入方向先端側の幅Ｌ１が反対側の幅Ｌ２よりも狭くなるように先端側が切り欠かれている。誤挿入防止カバー５によって、カード挿入口４をメモリーカード２０の挿入方向先端側の幅Ｌ１よりも若干広く、挿入方向反対側の幅Ｌ２よりも狭く開放するように閉じる。【選択図】図３
2007280234.tif 000002
【特許請求の範囲】
【請求項１】
メモリーカードに記憶された情報の読み取りやメモリーカードに対する情報の書き込みを行うメモリーカード読取書込装置において、
上記メモリーカードを出し入れするカード挿入口と、
上記カード挿入口の一部を塞ぎ、上記メモリーカードの誤挿入を防止する誤挿入防止カバーと、
上記誤挿入防止カバーをカード挿入口の開閉方向にスライドさせるカバースライド溝と、
上記誤挿入防止カバーをカード挿入口を閉じる方向に付勢する付勢手段とを備え、
上記メモリーカードは、挿入方向先端側の幅が反対側の幅よりも狭くなるように、先端側の一方の角部が切り欠かれて切欠部が形成され、該切欠部は、挿入方向先端側から反対側に向かって徐々に幅が広くなる傾斜面を有し、
上記誤挿入防止カバーは、閉じた状態において、上記カード挿入口を上記メモリーカードの挿入方向先端側の幅よりも若干広く、挿入方向反対側の幅よりも狭く開放するように構成され、
上記メモリーカードを正しい方向に挿入したときに、上記切欠部側に上記誤挿入防止カバーが当接するように構成されている
ことを特徴とするメモリーカード読取書込装置。
【請求項２】
請求項１に記載のメモリーカード読取書込装置において、
上記誤挿入防止カバーの上記切欠部と当接する部分には、メモリーカードの挿入に伴って該誤挿入防止カバーが開き方向へ移動するのを助けるテーパー面が形成されている
ことを特徴とするメモリーカード読取書込装置。
【請求項３】
請求項１又は２に記載のメモリーカード読取書込装置において、
上記誤挿入防止カバーの上記切欠部と当接する部分の近傍には、該誤挿入防止カバーの開き方向を示す矢印が表示されている
ことを特徴とするメモリーカード読取書込装置。
【請求項４】
請求項１乃至３のいずれか１つに記載のメモリーカード読取書込装置を備えた
ことを特徴とする電子機器。
【請求項５】
携帯通信機器である
ことを特徴とする請求項４に記載の電子機器。
【発明の詳細な説明】
【技術分野】
【０００１】
本発明は、メモリーカード読取書込装置、及びそれを備えた電子機器に関し、特にメモリーカードを表裏逆に挿入するのを防止する機構を有するものに関する。
【背景技術】
【０００２】
従来より、メモリーカードに記憶された情報を読み取ったり、メモリーカードに情報を書き込んだりするメモリーカード読取書込装置は知られている。このメモリーカード読取書込装置では、メモリーカードを表裏逆に挿入すると、メモリーカード読取書込装置内部の信号接触部が破壊され、機能を損失することが懸念される。
【０００３】
そこで、例えば、特許文献１では、メモリーカードを表裏逆に挿入することによる信号接触部破壊を防止する手段として、メモリーカード読取書込装置の内部機構に誤挿入防止弁を設け、物理的にメモリーカードが入らないようにする手法が開示されている。
【特許文献１】特開２００５−２６７８２６号公報
【発明の開示】
【発明が解決しようとする課題】
【０００４】
しかしながら、上記従来のものでは、物理的にメモリーカードは入らないものの、ユーザーは挿入できないことを理解するまでメモリーカードを押さえ続けることになり、メモリーカード読取書込装置と干渉するメモリーカードは負荷を受け続けることとなる。その結果、メモリーカードの表裏逆の挿入による信号接触部の破損は防止できても、メモリーカード自体が破壊される可能性がある。
【０００５】
また、挿入方向がわかりにくいため、ユーザーは一度誤挿入しても、再び同様に間違えて表裏逆に挿入することが懸念される。
【０００６】
本発明は、かかる点に鑑みてなされたものであり、その目的とするところは、ユーザーがメモリーカードを挿入する際にメモリーカードの正しい挿入方向を直感的にわかりやすくすることにより、誤挿入を物理的に防止するための過剰な機構部品を増やすことなく、省スペース及び低コストでメモリーカードの誤挿入と破壊を防止することにある。
【０００７】
ひいては本発明の構成を採用することにより、メモリーカードを挿入する方向をユーザーに習慣付けることを目的とするものである。
【課題を解決するための手段】
【０００８】
上記の目的を達成するために、この発明では、メモリーカード挿入口の一部を誤挿入防止カバーで覆うようにした。
【０００９】
具体的には、第１の発明では、メモリーカードに記憶された情報の読み取りやメモリーカードに対する情報の書き込みを行うメモリーカード読取書込装置を対象とし、
このメモリーカード読取書込装置は、
上記メモリーカードを出し入れするカード挿入口と、
上記カード挿入口の一部を塞ぎ、上記メモリーカードの誤挿入を防止する誤挿入防止カバーと、
上記誤挿入防止カバーをカード挿入口の開閉方向にスライドさせるカバースライド溝と、
上記誤挿入防止カバーをカード挿入口を閉じる方向に付勢する付勢手段とを備え、
上記メモリーカードは、挿入方向先端側の幅が反対側の幅よりも狭くなるように、先端側の一方の角部が切り欠かれて切欠部が形成され、該切欠部は、挿入方向先端側から反対側に向かって徐々に幅が広くなる傾斜面を有し、
上記誤挿入防止カバーは、閉じた状態において、上記カード挿入口を上記メモリーカードの挿入方向先端側の幅よりも若干広く、挿入方向反対側の幅よりも狭く開放するように構成され、
上記メモリーカードを正しい方向に挿入したときに、上記切欠部側に上記誤挿入防止カバーが当接するように構成されている。
【００１０】
上記の構成によると、上記誤挿入防止カバーは、カード挿入口をメモリーカードの挿入方向先端側の幅よりも若干広く、挿入方向反対側よりも狭く開放しているので、ユーザーは、メモリーカードを表裏逆に挿入しようとすると、切欠部側が挿入口に干渉してしまうのを一目で認識できる。このため、ユーザーは、無理やりメモリーカードを押さえ込もうとせずに表裏反転させて入れ直すことを試みるので、メモリーカードの損傷が防止される。一方、メモリーカードを正しい方向で挿入することにより、誤挿入防止カバーは、メモリーカードの切欠部の傾斜面に押されながらカバースライド溝に沿ってカード挿入口を開く方向にスムーズに移動するので、メモリーカードの挿入が可能になる。
【００１１】
第２の発明では、上記誤挿入防止カバーの上記切欠部と当接する部分には、メモリーカードの挿入に伴って該誤挿入防止カバーが開き方向へ移動するのを助けるテーパー面が形成されている。
【００１２】
上記の構成によると、上記メモリーカードを正しい方向に挿入しようとすると、メモリーカードの切欠部の傾斜面が誤挿入防止カバーのテーパー面に当接して、誤挿入防止カバーがカバースライド溝に沿って開き方向にさらにスムーズに移動する。一方、メモリーカードを表裏逆に挿入しようとすると、その切欠部がカバー挿入口を構成する壁部に当接するので、メモリーカードが挿入し難く、ユーザーは、表裏逆に挿入しようとしていることを容易に判断できる。
【００１３】
第３の発明では、上記誤挿入防止カバーの上記切欠部と当接する部分の近傍には、該誤挿入防止カバーの開き方向を示す矢印が表示されている。
【００１４】
上記の構成によると、メモリーカードを正しい方向に挿入しようとすると、その切欠部が誤挿入防止カバーに当接しそうになるが、ユーザーは、矢印を見ることにより、このままメモリーカードを挿入すれば、誤挿入防止カバーが矢印の示す方向に移動して、メモリーカードの挿入が可能になることを認識することができ、挿入動作をスムーズに行うことができる。
【００１５】
第４の発明では、電子機器は、第１乃至第３のいずれか１つの発明のメモリーカード読取書込装置を備えている。
【００１６】
上記の構成によると、メモリーカードの損傷を防止できる、商品価値の高い電子機器が得られる。
【００１７】
第５の発明では、電子機器は、携帯通信機器とする。
【００１８】
上記の構成によると、頻繁にメモリーカードを出し入れすることが予測される携帯通信機器において、メモリーカードの損傷が効果的に防止される。
【発明の効果】
【００１９】
以上説明したように、本発明によれば、誤挿入防止カバーでカード挿入口の一部を塞ぐことにより、メモリーカードを表裏逆に挿入することが防止できるので、メモリーカード読取書込装置内に強固な誤挿入防止弁を設ける必要はなくなり、省スペース及び低コストを達成することができる。また、ユーザーが無理やりメモリーカードを表裏逆に挿入することがなくなり、メモリーカードの破損を予防することができる。さらに、ユーザーが瞬時に正しい挿入方向を確認できるので、習慣的にメモリーカードの向きを習得することができる。
【発明を実施するための最良の形態】
【００２０】
以下、本発明の実施形態を図面に基づいて説明する。
【００２１】
図１は、本発明の実施形態にかかるメモリーカード読取書込装置の要部構成を示す正面図である。図２乃至図４は、本発明の実施形態にかかるメモリーカード読取書込装置の要部構成の平面図である。図２にメモリーカードを表裏逆に挿入しようとする様子を示し、図３にメモリーカードを正しい方向に挿入しようとする様子を示す。図４にメモリーカードを正しく挿入し終えたときの様子を示す。
【００２２】
メモリーカード読取書込装置１は、メモリーカード２０に記憶された情報の読み取りやメモリーカード２０に対する情報の書き込みを行うものである。図１に示すように、このメモリーカード読取書込装置１は、装置本体２を備えている。装置本体２には、メモリーカード２０を挿入するためのホルダ２ａが形成され、このホルダ２ａの奥側には、信号接触部３が設けられている。ホルダ２ａの正面側には、上記メモリーカード２０を出し入れするカード挿入口４が形成されている。
【００２３】
上記カード挿入口４には、このカード挿入口４の一部を塞ぎ、上記メモリーカード２０の誤挿入を防止する誤挿入防止カバー５が設けられている。上記装置本体２には、この誤挿入防止カバー５をカード挿入口４の開閉方向にスライドさせるカバースライド溝６が形成されている。
【００２４】
また、図２乃至図４に示すように、上記装置本体２には、誤挿入防止カバー５をカード挿入口４を閉じる方向に付勢する付勢手段としてのコイルバネ７が設けられている。具体的には、誤挿入防止カバー５の中間部に設けたカバー側バネ止め部５ａにコイルバネ７の一端が接続されている。コイルバネ７のコイル部分は装置本体２の支持軸２ｂに挿入され、他端は、本体側バネ止め部２ｃでその反力が受けられている。
【００２５】
上記メモリーカード２０は、挿入方向先端側の幅Ｌ１が反対側の幅Ｌ２よりも狭くなっている（Ｌ１＜Ｌ２）。つまり、先端側の一方の角部が切り欠かれて切欠部２０ａが形成され、この切欠部２０ａは、挿入方向先端側から反対側に向かって徐々に幅が広くなる傾斜面２０ｂを有している。メモリーカード２０の挿入方向先端側の裏面側には、上記信号接触部３と接触して信号を受け渡しするための信号接触端子２１が形成されている。
【００２６】
上記誤挿入防止カバー５が閉じたときのカード挿入口４の幅Ｌ３は上記幅Ｌ１よりも若干大きいものとなっている。つまり、上記誤挿入防止カバー５は、閉じた状態において、上記カード挿入口４を上記メモリーカード２０の挿入方向先端側の幅Ｌ１よりも若干広く、挿入方向反対側の幅Ｌ２よりも狭く開放するように構成されている（Ｌ１＜Ｌ３＜Ｌ２）。
【００２７】
上記メモリーカード２０を正しい方向に挿入したときに、上記切欠部２０ａ側に上記誤挿入防止カバー５が当接するように構成されている。この誤挿入防止カバー５の上記切欠部２０ａと当接する部分には、メモリーカード２０の挿入に伴って該誤挿入防止カバー５が開き方向へ移動するのを助けるテーパー面５ｂが形成されている。誤挿入防止カバー５の上記切欠部２０ａと当接する部分の近傍には、該誤挿入防止カバー５の開き方向を示す矢印１０が表示されている。
【００２８】
−作用−
次に、本実施形態にかかるメモリーカード読取書込装置１の作動について説明する。
【００２９】
図２のように、メモリーカード２０を表裏逆に挿入しようとすると、誤挿入防止カバー５は、カード挿入口４をメモリーカード２０の挿入方向先端側の幅Ｌ１よりも若干広く、挿入方向反対側の幅Ｌ２よりも狭く開放しているので、切欠部２０ａ側がカード挿入口４に干渉してしまうのを一目で認識できる。このため、ユーザーは、無理やりメモリーカード２０を押さえ込もうとせずに表裏反転させて入れ直すことを試みる。このことで、メモリーカード２０が表裏逆のまま挿入されることはない。
【００３０】
図３に示すように、メモリーカード２０を正しい方向で挿入する場合には、メモリーカード２０の切欠部２０ａの傾斜面２０ｂが誤挿入防止カバー５のテーパー面５ｂに当接して、誤挿入防止カバー５に押されたコイルバネ７が縮みながら、誤挿入防止カバー５がカバースライド溝６に沿って開き方向にスムーズに移動する。このとき、ユーザーは誤挿入防止カバー５に印字された矢印を見ることで、このメモリーカード２０の方向のままメモリーカード２０を挿入すると誤挿入防止カバー５が開くことを推察することができる。
【００３１】
図４に示すように、挿入が完了すれば、コイルバネ７が誤挿入防止カバー５を閉じ方向に付勢して、誤挿入防止カバー５がメモリーカード２０の後端側面を押さえつけた状態で挿入が完了する。このことで、メモリーカード２０の信号接触端子２１と信号接触部３とが接触して信号のやりとりが可能となる。
【００３２】
上記メモリーカード２０を取り出す際には、誤挿入防止カバー５は、メモリーカード２０の後端側面を押さえているだけなので、その動作を邪魔をすることはない。
【００３３】
したがって、本実施形態によれば、誤挿入防止カバー５でカード挿入口４の一部を塞ぐことにより、メモリーカード２０を表裏逆に挿入することが防止できるので、メモリーカード読取書込装置１内に強固な誤挿入防止弁を設ける必要はなくなり、省スペース及び低コストを達成することができる。また、ユーザーが無理やりメモリーカード２０を表裏逆に挿入することがなくなり、メモリーカード２０の破損を予防することができる。さらに、ユーザーが瞬時に正しい挿入方向を確認できるので、習慣的にメモリーカード２０の向きを習得することができる。
【００３４】
（その他の実施形態）
本発明は、上記実施形態について、以下のような構成としてもよい。
【００３５】
すなわち、上記実施形態では、電子機器を携帯電話機１としたが、ＰＣ、モバイルツール、電子辞書、電卓、複写機等の電子機器でもよい。このことで、メモリーカード２０の損傷を防止できる、商品価値の高いこれらの電子機器が得られる。
【００３６】
また、電子機器を上記携帯電話機１、ＰＨＳ、ＰＤＡのような携帯通信機器とすることにより、頻繁にメモリーカード２０を出し入れすることが予測される携帯通信機器において、メモリーカード２０の損傷が効果的に防止される。
【００３７】
なお、以上の実施形態は、本質的に好ましい例示であって、本発明、その適用物や用途の範囲を制限することを意図するものではない。
【図面の簡単な説明】
【００３８】
【図１】本発明の実施形態にかかるメモリーカード読取書込装置の要部構成を示す正面図である。
【図２】本発明の実施形態にかかるメモリーカード読取書込装置の要部構成を示す平面図であり、メモリーカードを表裏逆に挿入しようとしている図である。
【図３】メモリーカードを正しい方向で挿入しようとしている図２相当図である。
【図４】メモリーカードの挿入が完了した様子を示す図２相当図である。
【符号の説明】
【００３９】
１      メモリーカード読取書込装置
４      カード挿入口
５      誤挿入防止カバー
５ｂ    テーパー面
６      カバースライド溝
７      コイルバネ（付勢手段）
１０      矢印
２０      メモリーカード
２０ａ    切欠部
２０ｂ    傾斜面
【図１】
2007280234.tif 000003
【図２】
2007280234.tif 000004
【図３】
2007280234.tif 000005
【図４】
2007280234.tif 000006